(57)【特許請求の範囲】
【請求項１】
温度によって寿命が変動する蓄電池の寿命までの残り時間である残寿命を推定する蓄電池残寿命推定方法であって、前記蓄電池の寿命の目安である寿命目安抵抗値を予め設定し、前記蓄電池の使用開始時点からの温度を一定時間毎に取得し、前記蓄電池の使用開始時点から前記残寿命を推定する時点までの間に取得した温度を用いて平均温度を算出し、前記残寿命を推定する時点で前記蓄電池の内部抵抗値を測定し、測定した前記内部抵抗値と、前記蓄電池の内部抵抗値が前記寿命目安抵抗値に達するまでの目安残寿命の予測値を算出可能な、前記平均温度における抵抗値−残寿命関数と、を用いて前記目安残寿命の予測値を算出し、算出した前記予測値に基づき前記残寿命を推定する蓄電池残寿命推定方法において、
温度と前記蓄電池の寿命との関係を表す温度−寿命関数と、前記蓄電池の寿命である寿命抵抗値とを予め設定し、
前記蓄電池の使用開始時点での初期抵抗値を予め測定し、
前記抵抗値−残寿命関数は、前記初期抵抗値と、前記温度−寿命関数と、前記寿命抵抗値と、前記寿命目安抵抗値とを基に作成され、
前記温度−寿命関数は、前記蓄電池の種類に固有の関数であり、
前記寿命目安抵抗値が、前記寿命抵抗値又は蓄電池の内部抵抗値が寿命抵抗値に達する前に注意喚起を行うための注意抵抗値であることを特徴とする蓄電池残寿命推定方法。
【請求項２】
前記抵抗値−残寿命関数の作成は、前記平均温度を算出した後に行い、
前記平均温度における前記抵抗値−残寿命関数のみを作成することを特徴とする請求項１に記載の蓄電池残寿命推定方法。
【請求項３】
前記抵抗値−残寿命関数の作成は、前記平均温度を算出する前に行い、
温度毎に前記抵抗値−残寿命関数を作成することを特徴とする請求項１に記載の蓄電池残寿命推定方法。
【請求項４】
さらに、１以下の値である安全率を予め設定し、
前記予測値に前記安全率を乗じた値を前記残寿命として推定することを特徴とする請求項１から３のいずれか１項に記載の蓄電池残寿命推定方法。
【請求項５】
請求項１から４のいずれか１項に記載の蓄電池残寿命推定方法により前記残寿命を推定し、
推定した前記残寿命に基づき前記蓄電池の点検日を決定することを特徴とする蓄電池点検日決定方法。
【請求項６】
温度によって寿命が変動する蓄電池の寿命までの残り時間である残寿命を推定する蓄電池残寿命推定装置であって、
温度を測定する温度測定手段と、
前記温度測定手段で測定された温度を一定時間毎に取得する温度取得手段と、
前記残寿命を推定する時点までの間に取得された温度を用いて平均温度を算出する平均温度算出手段と、
温度と前記蓄電池の寿命との関係を表す温度−寿命関数と、前記蓄電池の寿命である寿命抵抗値と、前記蓄電池の寿命の目安である寿命目安抵抗値と、前記蓄電池の使用開始時点で測定された初期抵抗値と、を基に前記蓄電池の内部抵抗値が前記寿命目安抵抗値に達するまでの目安残寿命の予測値を算出可能な温度に依存する関数である抵抗値−残寿命関数を作成する残寿命関数作成手段と、
前記残寿命を推定する時点で測定された前記蓄電池の内部抵抗値と、前記平均温度における前記抵抗値−残寿命関数と、を用いて前記目安残寿命の予測値を算出する予測値算出手段と、
前記予測値に基づき前記残寿命を推定する残寿命推定手段と、を備え、
前記温度−寿命関数は、前記蓄電池の種類に固有の関数であり、
前記寿命目安抵抗値が、前記寿命抵抗値又は蓄電池の内部抵抗値が寿命抵抗値に達する前に注意喚起を行うための注意抵抗値であることを特徴とする蓄電池残寿命推定装置。
【請求項７】
温度によって寿命が変動する蓄電池の寿命までの残り時間である残寿命を推定する蓄電池残寿命推定システムであって、
温度を一定時間毎に取得し、前記残寿命を推定する時点までの間に取得した温度を用いて平均温度を算出する平均温度算出装置と、
前記平均温度算出装置から前記平均温度を取得し、取得した前記平均温度に基づき前記残寿命を推定する残寿命推定装置とを備え、
前記平均温度算出装置は、温度を測定する温度測定手段と、前記温度測定手段で測定された温度を一定時間毎に取得する温度取得手段と、前記残寿命を推定する時点までの間に取得された温度を用いて平均温度を算出する平均温度算出手段と、を備え、
前記残寿命推定装置は、温度と前記蓄電池の寿命との関係を表す関数である温度−寿命関数と、前記蓄電池の寿命である寿命抵抗値と、前記蓄電池の寿命の目安である寿命目安抵抗値と、前記蓄電池の使用開始時点で測定された初期抵抗値と、を基に前記蓄電池の内部抵抗値が前記寿命目安抵抗値に達するまでの目安残寿命の予測値を算出可能な温度に依存する関数である抵抗値−残寿命関数を作成する残寿命関数作成手段と、
前記平均温度算出装置から前記平均温度を取得する平均温度取得手段と、
前記残寿命を推定する時点で測定された前記蓄電池の内部抵抗値と、前記平均温度における前記抵抗値−残寿命関数と、を用いて前記目安残寿命の予測値を算出する予測値算出手段と、
前記予測値に基づき前記残寿命を推定する残寿命推定手段と、を備え、
前記温度−寿命関数は、前記蓄電池の種類に固有の関数であり、
前記寿命目安抵抗値が、前記寿命抵抗値又は蓄電池の内部抵抗値が寿命抵抗値に達する前に注意喚起を行うための注意抵抗値であり、
前記平均温度算出装置が算出した前記平均温度を用いて前記残寿命推定装置が前記残寿命を推定することを特徴とする蓄電池残寿命推定システム。
【発明の詳細な説明】
【技術分野】
【０００１】
本発明は、蓄電池の残寿命を推定する蓄電池残寿命推定方法、蓄電池点検日決定方法、蓄電池残寿命推定装置、及び蓄電池残寿命推定システムに関する。
【背景技術】
【０００２】
電力事業所の通信機械室、通信局舎、蓄電池室や変電所の配電盤室、発電所等に設置される直流電源装置や無停電電源装置には、制御弁式据置鉛蓄電池等の蓄電池が使用されており、定期的に蓄電池の外観、電圧値、内部抵抗値等を確認する点検作業が行われている。
【０００３】
蓄電池の点検周期は、例えば、使用開始時点から６年が経過した時点で点検を１回行い、以降１年毎に点検を行うというように、通常、一律に設定（規定）されている。しかしながら、制御弁式据置鉛蓄電池等の蓄電池は、温度が高くなるにつれて寿命が短くなる性質があり、蓄電池の設置環境等によっては、点検日を待たずに蓄電池が寿命となり不具合が発生する問題がある。
【０００４】
この問題に対し、蓄電池の使用開始後に蓄電池の状態を観測し寿命を推定する技術が、いくつか提案されている。例えば、蓄電池の温度を測定し、測定した最新の温度と、蓄電池の使用開始後からの累積平均温度とを用いて蓄電池の残寿命を算出する蓄電池の寿命予告方法が提案されている（例えば、特許文献１参照）。また蓄電池の内部抵抗値と温度とを常時測定し、これらの測定値から蓄電池の劣化状態を判定するとともに、蓄電池の残寿命を算出する蓄電池監視装置が提案されている（例えば、特許文献２参照）。
【先行技術文献】
【特許文献】
【０００５】
【特許文献１】特開平９−２１１０９１号公報
【特許文献２】特開２００４−１１９２２８号公報
【発明の概要】
【発明が解決しようとする課題】
【０００６】
特許文献１に記載の蓄電池の寿命予告方法では、温度のみを用いて残寿命を推定するが、蓄電池の残寿命（残存容量）は、蓄電池の内部抵抗値と強い相関があることがわかっており、温度のみを用いて蓄電池の残寿命を推定する方法では蓄電池の個体差に対応することができず、精度に限界がある。
【０００７】
特許文献２に記載の蓄電池監視装置では、内部抵抗値と温度とを常時測定するが、蓄電池毎に内部抵抗値を測定する高価な測定器を常設する必要があり、設置費用等を考慮すると現実的ではない。
【０００８】
さらに蓄電池の点検周期の適正化が求められているが、特許文献１、２では、この課題については一切触れられていない。
【０００９】
本発明の目的は、蓄電池の残寿命を精度良く推定可能であり、低コストで運用可能な蓄電池残寿命推定方法、蓄電池点検日決定方法、蓄電池残寿命推定装置、及び蓄電池残寿命推定システムを提供することである。
【課題を解決するための手段】
【００１０】
本発明は、温度によって寿命が変動する蓄電池の寿命までの残り時間である残寿命を推定する蓄電池残寿命推定方法であって、前記蓄電池の寿命の目安である寿命目安抵抗値を予め設定し、前記蓄電池の使用開始時点からの温度を一定時間毎に取得し、前記蓄電池の使用開始時点から前記残寿命を推定する時点までの間に取得した温度を用いて平均温度を算出し、前記残寿命を推定する時点で前記蓄電池の内部抵抗値を測定し、測定した前記内部抵抗値と、前記蓄電池の内部抵抗値が前記寿命目安抵抗値に達するまでの目安残寿命の予測値を算出可能な、前記平均温度における抵抗値−残寿命関数と、を用いて前記目安残寿命の予測値を算出し、算出した前記予測値に基づき前記残寿命を推定する蓄電池残寿命推定方法において、温度と前記蓄電池の寿命との関係を表す温度−寿命関数と、前記蓄電池の寿命である寿命抵抗値とを予め設定し、前記蓄電池の使用開始時点での初期抵抗値を予め測定し、前記抵抗値−残寿命関数は、前記初期抵抗値と、前記温度−寿命関数と、前記寿命抵抗値と、前記寿命目安抵抗値とを基に作成され、前記温度−寿命関数は、前記蓄電池の種類に固有の関数であり、前記寿命目安抵抗値が、前記寿命抵抗値又は蓄電池の内部抵抗値が寿命抵抗値に達する前に注意喚起を行うための注意抵抗値であることを特徴とする蓄電池残寿命推定方法である。
【００１２】
また本発明の蓄電池残寿命推定方法において、前記抵抗値−残寿命関数の作成は、前記平均温度を算出した後に行い、前記平均温度における前記抵抗値−残寿命関数のみを作成することを特徴とする。
【００１３】
また本発明の蓄電池残寿命推定方法において、前記抵抗値−残寿命関数の作成は、前記平均温度を算出する前に行い、温度毎に前記抵抗値−残寿命関数を作成することを特徴とする。
【００１４】
また本発明の蓄電池残寿命推定方法は、さらに、１以下の値である安全率を予め設定し、前記予測値に前記安全率を乗じた値を前記残寿命として推定することを特徴とする。
【００１５】
また本発明は、前記蓄電池残寿命推定方法により前記残寿命を推定し、推定した前記残寿命に基づき前記蓄電池の点検日を決定することを特徴とする蓄電池点検日決定方法である。
【００１６】
また本発明は、温度によって寿命が変動する蓄電池の寿命までの残り時間である残寿命を推定する蓄電池残寿命推定装置であって、温度を測定する温度測定手段と、前記温度測定手段で測定された温度を一定時間毎に取得する温度取得手段と、前記残寿命を推定する時点までの間に取得された温度を用いて平均温度を算出する平均温度算出手段と、温度と前記蓄電池の寿命との関係を表す温度−寿命関数と、前記蓄電池の寿命である寿命抵抗値と、前記蓄電池の寿命の目安である寿命目安抵抗値と、前記蓄電池の使用開始時点で測定された初期抵抗値と、を基に前記蓄電池の内部抵抗値が前記寿命目安抵抗値に達するまでの目安残寿命の予測値を算出可能な温度に依存する関数である抵抗値−残寿命関数を作成する残寿命関数作成手段と、前記残寿命を推定する時点で測定された前記蓄電池の内部抵抗値と、前記平均温度における前記抵抗値−残寿命関数と、を用いて前記目安残寿命の予測値を算出する予測値算出手段と、前記予測値に基づき前記残寿命を推定する残寿命推定手段と、を備え、前記温度−寿命関数は、前記蓄電池の種類に固有の関数であり、前記寿命目安抵抗値が、前記寿命抵抗値又は蓄電池の内部抵抗値が寿命抵抗値に達する前に注意喚起を行うための注意抵抗値であることを特徴とする蓄電池残寿命推定装置である。
【００１７】
また本発明は、温度によって寿命が変動する蓄電池の寿命までの残り時間である残寿命を推定する蓄電池残寿命推定システムであって、温度を一定時間毎に取得し、前記残寿命を推定する時点までの間に取得した温度を用いて平均温度を算出する平均温度算出装置と、前記平均温度算出装置から前記平均温度を取得し、取得した前記平均温度に基づき前記残寿命を推定する残寿命推定装置とを備え、前記平均温度算出装置は、温度を測定する温度測定手段と、前記温度測定手段で測定された温度を一定時間毎に取得する温度取得手段と、前記残寿命を推定する時点までの間に取得された温度を用いて平均温度を算出する平均温度算出手段と、を備え、前記残寿命推定装置は、温度と前記蓄電池の寿命との関係を表す関数である温度−寿命関数と、前記蓄電池の寿命である寿命抵抗値と、前記蓄電池の寿命の目安である寿命目安抵抗値と、前記蓄電池の使用開始時点で測定された初期抵抗値と、を基に前記蓄電池の内部抵抗値が前記寿命目安抵抗値に達するまでの目安残寿命の予測値を算出可能な温度に依存する関数である抵抗値−残寿命関数を作成する残寿命関数作成手段と、前記平均温度算出装置から前記平均温度を取得する平均温度取得手段と、前記残寿命を推定する時点で測定された前記蓄電池の内部抵抗値と、前記平均温度における前記抵抗値−残寿命関数と、を用いて前記目安残寿命の予測値を算出する予測値算出手段と、前記予測値に基づき前記残寿命を推定する残寿命推定手段と、を備え、前記温度−寿命関数は、前記蓄電池の種類に固有の関数であり、前記寿命目安抵抗値が、前記寿命抵抗値又は蓄電池の内部抵抗値が寿命抵抗値に達する前に注意喚起を行うための注意抵抗値であり、前記平均温度算出装置が算出した前記平均温度を用いて前記残寿命推定装置が前記残寿命を推定することを特徴とする蓄電池残寿命推定システムである。
【発明の効果】
【００１８】
本発明によれば蓄電池の残寿命を精度良く推定可能であり、低コストで運用可能な蓄電池残寿命推定方法、蓄電池点検日決定方法、蓄電池残寿命推定装置、及び蓄電池残寿命推定システムを提供することができる。
【００１９】
また残寿命の推定時に用いる温度として、蓄電池の使用開始時点から取得した温度を用いて算出した平均温度を用いるので、蓄電池の内部抵抗値を測定する際の瞬間的な温度に左右されることなく、残寿命を推定することが可能となり、蓄電池の内部抵抗値と内部抵抗値を測定したときの温度とを紐づけて細かく監視する必要がない。これにより温度及び内部抵抗値を常時測定することなく、蓄電池の残寿命を精度良く推定することが可能となり、低コスト化を実現することができる。
【図面の簡単な説明】
【００２０】
【図１】本発明の第１実施形態の蓄電池残寿命推定方法（蓄電池点検日決定方法）を説明するための図であって、横軸を経過時間Ｙ’、縦軸を内部抵抗値Ｒとしたときの式（４）の一例を示すグラフである。
【図２】本発明の第１実施形態の蓄電池残寿命推定方法（蓄電池点検日決定方法）の手順を示すフロー図である。
【図３】本発明の第２実施形態の蓄電池残寿命推定装置（蓄電池点検日決定装置）２の構成図である。
【図４】本発明の第３実施形態の蓄電池残寿命推定システム（蓄電池点検日決定システム）３の構成図である。
【発明を実施するための形態】
【００２１】
本発明の第１実施形態の蓄電池残寿命推定方法（蓄電池点検日決定方法）は、温度によって寿命が変動する蓄電池の寿命までの残り時間である残寿命を推定する方法であって、蓄電池の内部抵抗値と、蓄電池の内部抵抗値が任意の値に達するまでの残り時間の予測値を算出可能な温度に依存する関数である抵抗値−残寿命関数と、蓄電池の使用開始時点から取得した平均温度とを用いて蓄電池の残寿命を推定する。また推定した残寿命に基づき蓄電池の適正な点検日を決定する。なお蓄電池の残寿命の推定及び点検日（次回）の決定は、通常、蓄電池の点検時に行われる。
【００２２】
蓄電池の残寿命の推定に用いる蓄電池の内部抵抗値としては、初期抵抗値、推定時抵抗値、寿命抵抗値、注意抵抗値、及び寿命目安抵抗値がある。
【００２３】
初期抵抗値は、蓄電池の使用開始時点における内部抵抗値の実測値であり、蓄電池の個体毎に固有の値となる。
【００２４】
推定時抵抗値は、蓄電池の残寿命の推定時（点検時等）における内部抵抗値の実測値であり、蓄電池の個体毎に固有の値であり、測定時点によって変化する。通常、蓄電池は、劣化する（寿命に近づく）につれて内部抵抗値が上昇する。
【００２５】
寿命抵抗値は、蓄電池の寿命として、メーカーやユーザー等によって設定された内部抵抗値であり、蓄電池の種類毎に設定されている。蓄電池の内部抵抗値が寿命抵抗値に達した時点が蓄電池の寿命とみなされる。
【００２６】
注意抵抗値は、蓄電池の内部抵抗値が寿命抵抗値に達する前に注意喚起を行うための運用上の目安として設定された内部抵抗値である。注意抵抗値は、蓄電池の種類毎に設定され、寿命抵抗値よりも小さい値となる。
【００２７】
寿命目安抵抗値は、蓄電池の寿命の目安として、メーカーやユーザー等によって設定された内部抵抗値の管理値であり、蓄電池の運用方法等に応じて、寿命抵抗値と注意抵抗値との少なくともいずれか一方の値が寿命目安抵抗値として用いられる。なお寿命抵抗値及び注意抵抗値以外の任意の値を寿命目安抵抗値として用いることを否定するものではない。通常、蓄電池の点検時（残寿命の推定時）に測定した蓄電池の内部抵抗値が寿命目安抵抗値以上となった場合に、管理者に警報が通知され、新しい蓄電池との交換が行われる。
【００２８】
蓄電池の残寿命の推定に用いる抵抗値−残寿命関数は、蓄電池の内部抵抗値が任意の値に達するまでの残り時間の予測値を算出可能な温度に依存する関数であり、例えば、任意の値を寿命抵抗値とすると蓄電池の残寿命の予測値を算出することが可能であり、任意の値を寿命目安抵抗値とすると蓄電池の内部抵抗値が寿命目安抵抗値に達するまでの残り時間である目安残寿命の予測値を算出することができる。
【００２９】
抵抗値−残寿命関数は、初期抵抗値、寿命抵抗値、寿命目安抵抗値、及び温度−寿命関数から作成される。
【００３０】
温度−寿命関数は、メーカー等により定められた、温度と蓄電池の寿命との関係を表す、蓄電池の種類に固有の関数であり、例えば、制御弁式据置鉛蓄電池では、式（１）で示される。なお温度−寿命関数は、式（１）に限定されるものではない。
ＹＴ＝ａ×２（２５−Ｔ）／１０・・・式（１）
ここでＴは、温度（℃）、ａは、２５℃における蓄電池の寿命（年）であり、ＹＴが温度Ｔにおける蓄電池の寿命（年）となる。なおａは、蓄電池の種類毎に固有の定数である。
【００３１】
式（１）で示される温度−寿命関数によれば、温度が上昇すると蓄電池の寿命が短くなる。
【００３２】
次に、例として、蓄電池の内部抵抗値が寿命目安抵抗値に達するまでの残り時間である目安残寿命の予測値を算出する抵抗値−残寿命関数の作成方法を示す。蓄電池が劣化するにつれて内部抵抗値が上昇する。ここで蓄電池の内部抵抗値Ｒ（ｍΩ）が、経過時間に正比例し直線的に上昇すると仮定し、蓄電池の使用開始時点の抵抗値（初期抵抗値）をＲ初期（ｍΩ）とすると、蓄電池の使用開始時点からの経過時間Ｙ’（年）は、式（２）で表すことができる。
Ｙ’＝ｂ×（Ｒ−Ｒ初期）・・・式（２）
ここでｂは、定数である。
【００３３】
定数ｂは、式（２）において、内部抵抗値Ｒに寿命抵抗値Ｒ寿命、経過時間Ｙ’に式（１）から算出される温度Ｔにおける蓄電池の寿命ＹＴを代入してまとめると、式（３）のように求めることができる。
ｂ＝ＹＴ／（Ｒ寿命−Ｒ初期）・・・（３）
【００３４】
式（３）を式（２）に代入すると、初期抵抗値Ｒ初期、寿命抵抗値Ｒ寿命、式（１）から算出される温度Ｔにおける蓄電池の寿命ＹＴを用いて、内部抵抗値Ｒにおける蓄電池の使用開始時点からの経過時間Ｙ’を求める式（４）が得られる。
Ｙ’＝（Ｒ−Ｒ初期）／（Ｒ寿命−Ｒ初期）×ＹＴ・・・（４）
【００３５】
図１は、本発明の第１実施形態の蓄電池残寿命推定方法（蓄電池点検日決定方法）を説明するための図であって、横軸を経過時間Ｙ’、縦軸を内部抵抗値Ｒとしたときの式（４）の一例を示すグラフである。図１では、初期抵抗値を０．２ｍΩ、寿命抵抗値を１．０ｍΩ、注意抵抗値を０．８５ｍΩ、式（１）の定数ａを１５年とし、温度Ｔが２５℃、３０℃、３５℃のときの３つのグラフを示している。このグラフを用いて、温度Ｔにおける内部抵抗値Ｒのときの蓄電池の使用開始時点からの経過時間Ｙ’及び内部抵抗値Ｒが寿命目安抵抗値（寿命抵抗値、注意抵抗値、又は任意の値）となる経過時間をグラフ上で求めることも可能である。またグラフ上で求めた寿命目安抵抗値となる経過時間からグラフ上で求めた経過時間Ｙ’を減算することで蓄電池の目安残寿命の予測値を求めることも可能である。
【００３６】
蓄電池の内部抵抗値が寿命目安抵抗値に達するまでの残り時間である目安残寿命の予測値は、蓄電池の使用開始時点からの経過時間Ｙ’を用いて式（５）のように表すことができる。
Ｙ”＝Ｙ’Ｒ＝寿命目安抵抗値−Ｙ’・・・（５）
ここでＹ’Ｒ＝寿命目安抵抗値は、式（４）の内部抵抗値Ｒに寿命目安抵抗値を代入して求められる、蓄電池の内部抵抗値が寿命目安抵抗値となったときの蓄電池の使用開始時点からの経過時間（年）であり、Ｙ”は、蓄電池の内部抵抗値が寿命目安抵抗値に達するまでの残り時間である目安残寿命の予測値（年）である。
【００３７】
式（５）に式（４）を代入してまとめると、式（６）が得られる。
Ｙ”＝（Ｒ寿命目安−Ｒ）／（Ｒ寿命−Ｒ初期）×ＹＴ・・・（６）
ここでＲ寿命目安は、蓄電池の寿命目安抵抗値（ｍΩ）である。
【００３８】
式（６）が温度Ｔにおける抵抗値−残寿命関数であり、内部抵抗値Ｒに推定時抵抗値を代入すると、蓄電池の残寿命の推定時において、蓄電池の内部抵抗値が寿命目安抵抗値に達するまでの残り時間である目安残寿命の予測値を求めることができる。なお式（６）において、Ｒ寿命目安を任意の値とすることで、蓄電池の内部抵抗値が任意の値に達するまでの残り時間の予測値を算出することも可能である。
【００３９】
次に、本実施形態の蓄電池残寿命推定方法を用いて蓄電池の残寿命を推定する手順について説明する。図２は、本発明の第１実施形態の蓄電池残寿命推定方法（蓄電池点検日決定方法）の手順を示すフロー図である。本実施形態の蓄電池残寿命推定方法では、蓄電池の使用開始前において、温度−寿命関数、寿命抵抗値、及び寿命目安抵抗値が予め設定されている。
【００４０】
蓄電池の使用開始時点において、蓄電池の内部抵抗値（初期抵抗値）を測定する（ステップＳ１）。また温度を測定し蓄電池の使用開始時点から一定時間毎に取得する（ステップＳ２）。
【００４１】
蓄電池の使用開始後、蓄電池の残寿命を推定する時点において、蓄電池の内部抵抗値（推定時抵抗値）を測定する（ステップＳ３）。また蓄電池の使用開始時点から一定時間毎に取得した温度を用いて平均温度を算出する（ステップＳ４）。そして、算出した平均温度における抵抗値−残寿命関数を作成する（ステップＳ５）。
【００４２】
平均温度は、例えば、蓄電池の使用開始時点から一定時間毎に取得した温度の合計値を取得回数で除算することで求められる。なお平均温度は、温度を取得する度に算出しておいてもよい。
【００４３】
抵抗値−残寿命関数は、少なくとも、温度−寿命関数、寿命抵抗値、寿命目安抵抗値、及び初期抵抗値があれば作成可能であり、平均温度の算出後において、算出された平均温度における抵抗値−残寿命関数のみを作成してもよく、初期抵抗値の測定後、平均温度の算出前において、温度毎の抵抗値−残寿命関数を予め作成しておいてもよい。なお温度毎の抵抗値−残寿命関数を予め作成するときには、例えば、１℃毎に抵抗値−残寿命関数を作成してもよく、５℃毎に抵抗値−残寿命関数を作成してもよく、算出した平均温度に最も近い温度の抵抗値−残寿命関数を用いればよい。
【００４４】
推定時抵抗値の測定と、平均温度の算出と、抵抗値−残寿命関数の作成とを行った後に、算出した平均温度における抵抗値−残寿命関数に推定時抵抗値を代入し目安残寿命の予測値を算出する（ステップＳ６）。算出した予測値に予め設定した安全率を乗じた値を残寿命として推定する（ステップＳ７）。安全率は、通常、１以下の値に設定され、蓄電池の運用方法等に応じて適宜最適な値に設定することができる。
【００４５】
そして、推定した残寿命に基づき蓄電池の次回の点検日を決定する（ステップＳ８）。点検日は、少なくとも推定された残寿命に達する日付よりも早い日付であればよく、蓄電池の運用方法等に応じて適宜最適な日付とすることができる。
【００４６】
なお次回の点検日を決定した後は、継続して温度を一定時間毎に取得（ステップＳ２）する。そして蓄電池の次回の点検日において、推定時抵抗値を測定し（ステップＳ３）、平均温度を算出し（ステップＳ４）、算出した平均温度における抵抗値−残寿命関数を用いて残寿命の推定及び次の点検日の決定を行う。通常、蓄電池が寿命となり、新しい蓄電池に交換されるまで残寿命の推定及び次の点検日の決定が繰り返される。後述する第２実施形態の蓄電池残寿命推定装置２、第３実施形態の蓄電池残寿命推定システム３についても同様である。
【００４７】
以上のように、本実施形態の蓄電池残寿命推定方法は、蓄電池の種類毎に固有の温度−寿命関数と、設定値である寿命抵抗値及び寿命目安抵抗値と、実測値である初期抵抗値とを基に作成した、蓄電池の個体差が反映された抵抗値−残寿命関数を用いて、実測値である蓄電池の内部抵抗値（推定時抵抗値）及び平均温度から蓄電池の残寿命を推定するので、蓄電池の残寿命を精度良く推定することができる。
【００４８】
また残寿命を推定するときに用いる温度として、蓄電池の使用開始時点から取得した温度を用いて算出した平均温度を用いるので、推定時抵抗値を測定する際の瞬間的な温度に左右されることなく、残寿命を推定することが可能となり、蓄電池の内部抵抗値と内部抵抗値を測定したときの温度とを紐づけて細かく監視する必要がない。これにより温度及び内部抵抗値を常時測定することなく、手動においても蓄電池の残寿命を精度良く推定することが可能となり、低コスト化を実現することができる。
【００４９】
また蓄電池の内部抵抗値を測定する測定器を蓄電池毎に常設すると、測定器の数が膨大になるとともに、測定器が装置に組込まれてしまうため、測定器の校正作業や管理に膨大な労力が必要となってしまう。これに対し、本実施形態の蓄電池残寿命推定方法では、蓄電池の内部抵抗値を測定する測定器を蓄電池に常設する必要がないので、測定器の校正が容易であり、少ない労力で測定品質を確保可能であり、運用コストを低減することができる。
【００５０】
また本実施形態の蓄電池残寿命推定方法によれば、蓄電池の残寿命を精度良く推定することができるので、蓄電池の適正な点検日を設定することができる。蓄電池の劣化が早いものに対しては、次回の点検日を早めに設定することで蓄電池の不具合による停電等を未然に防止することが可能となり、蓄電池の劣化が遅いものに対しては、次回の点検日を遅めに設定することで点検コストを低減することができる。
【００５１】
また本実施形態の蓄電池残寿命推定方法では、蓄電池の使用開始時点からの平均温度を把握することができるので、平均温度から蓄電池の設置環境を評価し改善することで、蓄電池の延命を図ることも可能となる。
【００５２】
図３は、本発明の第２実施形態の蓄電池残寿命推定装置（蓄電池点検日決定装置）２の構成図である。本実施形態の蓄電池残寿命推定装置（蓄電池点検日決定装置）２は、蓄電池盤９１内に設置された複数の蓄電池９２の寿命までの残り時間である残寿命を蓄電池９２の点検時等において蓄電池９２毎に推定し、次回の点検日を蓄電池９２毎に決定する装置であり、蓄電池盤９１内、又は蓄電池盤９１に近接して設置される。
【００５３】
蓄電池盤９１には、複数の蓄電池９２が設置されているが、それぞれの蓄電池９２は、蓄電池盤９１の稼働後において交換されるタイミング等が異なるので、使用開始時点からの経過時間が蓄電池毎に異なっている。このため蓄電池９２の残寿命は、蓄電池９２の個体毎に推定する。
【００５４】
本実施形態の蓄電池残寿命推定装置２では、蓄電池９２の平均温度の算出に用いる温度は、後述するように、全ての蓄電池９２において１つの蓄電池９２の表面で測定された温度を用いるが、蓄電池９２の内部抵抗値（初期抵抗値及び推定時抵抗値）と、平均温度の算出に用いる単位時間当たりの温度の積算値、経過時間、又は温度の取得回数とは、蓄電池９２の個体毎に実測、演算、計時又は計数したものを用いる。
【００５５】
また蓄電池盤９１に設置される蓄電池９２毎に種類が異なる場合があるが、この場合、抵抗値−残寿命関数の作成時には、蓄電池９２の種類毎に異なる、温度−寿命関数、寿命抵抗値、注意抵抗値、及び寿命目安抵抗を用いる。
【００５６】
蓄電池残寿命推定装置２は、蓄電池９２に取付けられ温度を測定する温度測定手段である温度センサ１１と、蓄電池盤９１の正面に設置され情報の表示とデータの入力とを行うタッチパネル１２と、蓄電池９２の使用開始時点からの経過時間を計時する経過時間計時手段であるカウンタ１３と、一定時間毎に温度センサ１１から温度を取得し平均温度を算出する平均温度算出装置１４と、蓄電池９２の劣化状態の判定や蓄電池９２の残寿命の推定等を行う演算制御装置１５と、蓄電池９２の劣化時に管理者等へ警告を通知する通信装置１６とを備え、温度センサ１１から取得された温度と、タッチパネル１２から入力された蓄電池９２の内部抵抗値とを用いて蓄電池９２毎の残寿命を推定し、推定した残寿命に基づき蓄電池９２毎の適正な点検日を決定する。
【００５７】
なおタッチパネル１２、カウンタ１３、平均温度算出装置１４、通信装置１６と、演算制御装置１５とは、互いに信号やデータを送受信可能に構成されている。
【００５８】
温度センサ１１は、温度を検出し電圧に変換して出力する公知の温度センサであり、蓄電池盤９１内の１つの蓄電池９２の表面に取付けられ、常時、温度を測定する。温度センサ１１は、ケーブル２１を介して平均温度算出装置１４の温度取得手段４１に接続されている。
【００５９】
本実施形態の蓄電池残寿命推定装置２では、平均温度の算出に用いる温度は、全ての蓄電池９２において、１つの蓄電池９２の表面で測定された温度を用いる。なお温度センサ１１を蓄電池盤９１内の全ての蓄電池９２に取付け、蓄電池９２毎に測定された温度を取得することもできる。また温度センサ１１は、蓄電池９２の周囲温度を測定すべく、蓄電池９２の表面ではなく蓄電池盤９１に固定されていてもよい。温度センサ１１の取付箇所及び取付個数は、蓄電池盤９１や蓄電池９２の設置場所等による温度の偏りや設置コスト、運用コスト等を考慮して決定すればよい。
【００６０】
タッチパネル１２は、表示手段と入力手段とを兼ねる公知のタッチパネルであり、ケーブル２２を介して演算制御装置１５の入出力手段５１に接続されている。タッチパネル１２は、蓄電池９２毎の平均温度や使用開始時点からの経過時間、推定された残寿命、点検日等の情報を表示するとともに、作業者の操作により蓄電池９２毎の使用開始日や内部抵抗値等を演算制御装置１５に入力する。
【００６１】
カウンタ１３は、蓄電池９２の使用開始時点からの経過時間を蓄電池９２毎に計時する。カウンタ１３が計時する単位時間は、平均温度算出装置１４が温度センサ１１から温度を取得する間隔以下であることが好ましい。
【００６２】
平均温度算出装置１４は、温度センサ１１で測定された温度を一定時間毎に取得する温度取得手段４１と、蓄電池９２毎に使用開始時点からの平均温度を算出する平均温度算出手段４２とを備える。
【００６３】
温度取得手段４１は、公知のＡ／Ｄ変換器等を含み、一定時間毎に温度センサ１１が温度に応じて出力する電圧をデジタルデータに変換して取得する。温度取得手段４１が温度を取得する間隔は、特定の間隔に限定されるものではなく、適宜最適な間隔に設定することができる。
【００６４】
平均温度算出手段４２は、温度取得手段４１により取得された温度を用いて平均温度を蓄電池９２毎に算出する。具体的には、蓄電池９２毎に使用開始時点から温度取得手段４１により取得された温度の単位時間当たりの積算値を演算し、演算した積算値をカウンタ１３により蓄電池９２毎に計時された経過時間で除算し、平均温度を算出する。なお蓄電池９２毎に使用開始時点から温度取得手段４１により取得された温度の合計値を演算し、演算した合計値を蓄電池９２毎の温度の取得回数で除算した値を平均温度として算出してもよく、この場合には、蓄電池残寿命推定装置２がカウンタ１３を備えていなくてもよい。
【００６５】
平均温度算出手段４２による平均温度の算出は、温度取得手段４１により温度が取得される度に蓄電池９２毎に行われてもよく、蓄電池９２の残寿命の推定時に行われてもよい。なお蓄電池９２の残寿命の推定時に平均温度を算出する場合には、経過時間や残寿命の推定時の時刻をタッチパネル１２から作業者に入力させ、入力値に基づき平均温度を算出するようにしてもよく、この場合には、蓄電池残寿命推定装置２がカウンタ１３を備えていなくてもよい。
【００６６】
演算制御装置１５は、周辺機器とのデータの入出力を行う入出力手段５１と、データを保存可能な記憶手段５２と、入出力手段５１等から入力されたデータを記憶手段５２に保存する保存手段５３と、蓄電池９２の劣化状態を判定する劣化状態判定手段５４と、抵抗値−残寿命関数を作成する残寿命関数作成手段５５と、蓄電池９２の目安残寿命の予測値を算出する予測値算出手段５６と、算出した予測値に安全率を乗じたものを蓄電池９２の残寿命として推定する残寿命推定手段５７と、推定した残寿命に基づき蓄電池９２の点検日を決定する点検日決定手段５８と、周辺機器に出力するデータを作成し送信するデータ送信手段５９とを備える。
【００６７】
入出力手段５１は、周辺機器に接続され周辺機器とのデータの入出力を行う。周辺機器の一例としては、タッチパネル１２の他、図示しない、キーボード、マウス等の入力装置や、プリンタ、ディスプレイ等の出力装置、ルーター等の通信機器、ＵＳＢメモリ等の記憶装置、パーソナルコンピュータやサーバコンピュータ等が挙げられる。入出力手段５１は、蓄電池残寿命推定装置２の使用方法等に応じて適宜最適な周辺機器とのデータの入出力が可能に構成することができる。また入出力手段５１と周辺機器との接続方法は、有線でも無線でもよい。
【００６８】
記憶手段５２としては、例えば、デジタルデータを保存可能な公知のハードディスクドライブや半導体メモリ等を用いることができる。記憶手段５２に保存されるデータとしては、蓄電池９２の種類毎又は固体毎の温度−寿命関数、寿命抵抗値、注意抵抗値、寿命目安抵抗値、初期抵抗値、推定時抵抗値、使用開始日、推定時抵抗値の測定日等がある。なお記憶手段５２に保存されるデータは、これに限定されるものではなく、例えば、カウンタ１３が計時した経過時間、平均温度算出装置１４が取得した一定時間毎の温度や算出した平均温度、通信装置１６により通知された警報の履歴等のデータが必要に応じて保存される。
【００６９】
保存手段５３は、タッチパネル１２やその他の周辺機器、カウンタ１３、平均温度算出装置１４、通信装置１６等から入力されたデータを記憶手段５２に保存する。
【００７０】
劣化状態判定手段５４は、蓄電池９２の残寿命の推定時に測定され入力された蓄電池９２の内部抵抗値（推定時抵抗値）が蓄電池９２の寿命の目安として設定された内部抵抗値である寿命目安抵抗値に達しているか否かを蓄電池９２毎に判定する。入力された内部抵抗値が寿命目安抵抗値に達している場合には、タッチパネル１２に警告を表示するとともに、通信装置１６を介して管理者等へ警告を通知する。通常、蓄電池９２の点検時（残寿命の推定時）に測定した蓄電池９２の内部抵抗値が寿命目安抵抗値以上となった場合に、管理者に警報が通知され、新しい蓄電池９２との交換が行われる。
【００７１】
残寿命関数作成手段５５は、蓄電池９２の残寿命の推定時において、温度−寿命関数と、寿命抵抗値と、寿命目安抵抗値と、初期抵抗値とを用いて、蓄電池９２の内部抵抗値が寿命目安抵抗値に達するまでの残り時間である目安残寿命の予測値を算出可能な温度に依存する関数である抵抗値−残寿命関数を蓄電池９２毎に作成する。
【００７２】
残寿命関数作成手段５５が抵抗値−残寿命関数を作成するタイミングは、蓄電池９２の残寿命の推定時に限定されるものではなく、温度−寿命関数と、寿命抵抗値と、寿命目安抵抗値と、初期抵抗値とを用いて、予め温度毎に抵抗値−残寿命関数を作成し、記憶手段５２に保存しておいてもよい。
【００７３】
予測値算出手段５６は、残寿命関数作成手段５５が作成した抵抗値−残寿命関数にタッチパネル１２から入力された推定時抵抗値を代入することで蓄電池９２の目安残寿命の予測値を蓄電池９２毎に算出する。
【００７４】
残寿命推定手段５７は、予測値算出手段５６により算出された目安残寿命の予測値に安全率を乗じたものを蓄電池９２の残寿命として蓄電池９２毎に推定する。
【００７５】
点検日決定手段５８は、残寿命推定手段５７により推定された残寿命に基づき蓄電池９２毎に次回の点検日を決定する。
【００７６】
データ送信手段５９は、タッチパネル１２等の周辺機器に出力する、蓄電池９２毎の使用開始時点からの経過時間、平均温度、次回点検日等のデータを作成し、周辺機器に送信する。データ送信手段５９で作成されたデータは、入出力手段５１やケーブル２２、周辺機器であるルーター等の通信機器を介してタッチパネル１２や管理者のパーソナルコンピュータ等へ送信される。
【００７７】
通信装置１６は、管理者のパーソナルコンピュータ等へ信号を送信可能な公知の通信装置であり、劣化状態判定手段５４により蓄電池９２の内部抵抗値が寿命目安抵抗値に達していると判定されたときに管理者のパーソナルコンピュータ等へ警告信号を通知する。なお通信装置１６による通信方法は、無線であっても有線であってもよい。
【００７８】
次に本実施形態の蓄電池残寿命推定装置２により蓄電池９２毎に行われる残寿命の推定方法について説明する。作業者は、蓄電池９２毎の使用開始時点において、蓄電池９２の内部抵抗値を測定し、測定した内部抵抗値（初期抵抗値）と、使用開始日と、蓄電池９２の種類に応じて設定された温度−寿命関数、寿命抵抗値、注意抵抗値、及び寿命目安抵抗値とをタッチパネル１２から入力する。
【００７９】
タッチパネル１２からデータの入力が行われると、入出力手段５１を介して演算制御装置１５にデータが入力され、入力されたデータが保存手段５３により記憶手段５２に保存される。なお、これらのデータは、蓄電池９２の残寿命の推定時に入力してもよい。また蓄電池９２の種類毎の温度−寿命関数、寿命抵抗値、注意抵抗値、及び寿命目安抵抗値は、蓄電池９２の使用開始前から予め記憶手段５２に保存されていてもよい。
【００８０】
蓄電池９２の使用が開始されると、カウンタ１３により使用開始時点からの経過時間が計時される。なお温度センサ１１により測定された温度は、蓄電池盤９１の使用開始時点から平均温度算出装置１４の温度取得手段４１により一定時間毎に取得されている。
【００８１】
蓄電池９２の使用開始後の残寿命の推定時（点検時等）において、作業者が蓄電池９２の内部抵抗値を測定し、測定した内部抵抗値（推定時抵抗値）をタッチパネル１２から入力すると、入出力手段５１を介して演算制御装置１５に推定時抵抗値が入力され、入力された推定時抵抗値が寿命目安抵抗値に達しているか否かが劣化状態判定手段５４により判定され、寿命目安抵抗値に達していると判定された場合には、通信装置１６により管理者等へ警報が通知される。
【００８２】
入力された推定時抵抗値が寿命目安抵抗値に達していない場合には、入力時点での蓄電池９２の使用開始時点からの平均温度が平均温度算出手段４２により算出され、算出された平均温度における抵抗値−残寿命関数が残寿命関数作成手段５５により作成され、作成された抵抗値−残寿命関数に推定時抵抗値を代入することで蓄電池９２の目安残寿命の予測値が予測値算出手段５６により算出され、算出された予測値に予め設定された安全率を乗じたものが蓄電池９２の残寿命として残寿命推定手段５７により推定される。また推定された残寿命に基づき、蓄電池９２の次回の点検日が点検日決定手段５８により決定される。
【００８３】
なお平均温度算出手段４２による平均温度の算出は、蓄電池９２の使用開始時点から温度取得手段４１により温度が取得される度に行うようにしてもよい。また抵抗値−残寿命関数は、初期抵抗値と寿命抵抗値と寿命目安抵抗値と温度−寿命関数とが揃えば作成することができるので、推定時抵抗値の入力や平均温度の算出の前に、残寿命関数作成手段５５により予め温度毎に作成されるようにしてもよい。
【００８４】
残寿命の推定及び点検日の決定が完了すると、これらの情報や蓄電池９２の内部抵抗値、平均温度、使用開始時点からの経過時間等の情報がデータ送信手段５９から送信され、入出力手段５１を介してタッチパネル１２に表示される。また、これらの情報を記憶手段５２に保存し、管理者のパーソナルコンピュータ等から周辺機器、通信装置１６、入出力手段５１を介して、情報を確認可能に構成することもできる。
【００８５】
以上のように、本実施形態の蓄電池残寿命推定装置２によれば、第１実施形態の蓄電池残寿命推定方法を装置化（自動化）することができる。なお本実施形態の蓄電池残寿命推定装置２のように第１実施形態の蓄電池残寿命推定方法を装置化した場合でも、蓄電池９２の内部抵抗値を測定する測定器を常設する必要がないので、設置コストの低減を実現可能であるとともに、測定器の校正が容易であるため少ない労力で測定品質を確保可能であり、運用コストの低減も実現することができる。
【００８６】
図４は、本発明の第３実施形態の蓄電池残寿命推定システム（蓄電池点検日決定システム）３の構成図である。図３に示す第２実施形態の蓄電池残寿命推定装置２と同一の構成には同一の符号を付して説明を省略する。本実施形態の蓄電池残寿命推定システム（蓄電池点検日決定システム）３は、蓄電池９２の平均温度を算出する平均温度算出装置６１と、蓄電池９２の残寿命を推定し点検日（次回）を決定する残寿命推定装置（蓄電池点検日決定装置）として機能するパーソナルコンピュータ６２とで構成される。
【００８７】
平均温度算出装置６１は、温度センサ１１と、タッチパネル１２と、カウンタ１３と、温度取得手段４１と、平均温度算出手段４２と、入出力手段６３とを備え、温度センサ１１で測定された温度を一定時間毎に取得し、蓄電池９２の使用開始時点から取得した温度を用いて平均温度を蓄電池９２毎に算出する。
【００８８】
タッチパネル１２は、ケーブル２２を介して平均温度算出装置６１の入出力手段６３に接続されている。
【００８９】
入出力手段６３は、周辺機器に接続され周辺機器とのデータの入出力を行う。周辺機器の一例としては、タッチパネル１２、パーソナルコンピュータ６２の他、図示しない、キーボード、マウス等の入力装置や、プリンタ、ディスプレイ等の出力装置、ルーター等の通信機器、ＵＳＢメモリ等の記憶装置、サーバコンピュータ等が挙げられる。入出力手段６３は、蓄電池残寿命推定システム３（平均温度算出装置６１）の使用方法等に応じて適宜最適な周辺機器とのデータの入出力が可能に構成することができる。また入出力手段６３と周辺機器との接続方法は、有線でも無線でもよい。
【００９０】
パーソナルコンピュータ６２は、ディスプレイ、入力装置、記憶装置、演算装置等を備える公知のパーソナルコンピュータを用いることができる。パーソナルコンピュータ６２は、通信装置１６と、入出力手段５１と、記憶手段５２と、保存手段５３と、劣化状態判定手段５４と、残寿命関数作成手段５５と、予測値算出手段５６と、残寿命推定手段５７と、点検日決定手段５８と、データ送信手段５９と、平均温度算出装置６１から蓄電池９２毎の平均温度を取得する平均温度取得手段６４とを備え、入出力手段５１、６３を介して平均温度算出装置６１に接続され、平均温度算出装置６１から蓄電池９２毎の平均温度を取得し、取得した平均温度に基づき蓄電池９２毎の残寿命を推定し、推定した残寿命に基づき蓄電池９２毎の適正な点検日を決定する。
【００９１】
パーソナルコンピュータ６２は、デスクトップ型でもラップトップ型（ノート型）でもパームトップ型（タブレット型）でもよいが、蓄電池盤９１（平均温度算出装置６１）毎に設置すると設置コストが大きくなるので、携帯可能な大きさとし、複数の蓄電池盤９１（平均温度算出装置６１）に対して共用可能であると好ましい。
【００９２】
なお平均温度算出装置６１と、パーソナルコンピュータ６２とは、入出力手段５１、６３を介して互いに信号やデータを送受信可能に構成されている。
【００９３】
次に本実施形態の蓄電池残寿命推定システム３により蓄電池９２毎に行われる残寿命の推定方法について説明する。作業者は、蓄電池９２毎の使用開始時点において、蓄電池９２の内部抵抗値を測定し、測定した内部抵抗値（初期抵抗値）と、使用開始日と、蓄電池９２の種類に応じて設定された温度−寿命関数、寿命抵抗値、注意抵抗値、及び寿命目安抵抗値とをパーソナルコンピュータ６２に入力する。
【００９４】
パーソナルコンピュータ６２にデータの入力が行われると、入力されたデータが保存手段５３により記憶手段５２に保存される。なお、これらのデータは、蓄電池９２の残寿命の推定時に入力してもよい。また蓄電池９２の種類毎の温度−寿命関数、寿命抵抗値、注意抵抗値、及び寿命目安抵抗値は、蓄電池９２の使用開始前に予め記憶手段５２に保存されていてもよい。
【００９５】
蓄電池９２の使用が開始されると、平均温度算出装置６１のカウンタ１３により使用開始時点からの経過時間が計時され、温度取得手段４１により温度が取得される度に蓄電池９２の使用開始時点からの平均温度が平均温度算出手段４２により算出される。
【００９６】
蓄電池９２の使用開始後の残寿命の推定時（点検時等）において、作業者が蓄電池９２の内部抵抗値を測定し、測定した内部抵抗値（推定時抵抗値）をパーソナルコンピュータ６２に入力すると、入力された推定時抵抗値が寿命目安抵抗値に達しているか否かが劣化状態判定手段５４により判定され、寿命目安抵抗値に達していると判定された場合には、通信装置１６により管理者等へ警報が通知される。
【００９７】
入力された推定時抵抗値が寿命目安抵抗値に達していない場合には、作業者がパーソナルコンピュータ６２を平均温度算出装置６１に接続し、入出力手段５１、６３を介して推定時抵抗値の入力時点での蓄電池９２の平均温度が平均温度取得手段６４により平均温度算出装置６１から取得され、取得した平均温度における抵抗値−残寿命関数が残寿命関数作成手段５５により作成され、作成された抵抗値−残寿命関数に推定時抵抗値を代入することで蓄電池９２の目安残寿命の予測値が予測値算出手段５６により算出され、算出された予測値に予め設定された安全率を乗じたものが蓄電池９２の残寿命として残寿命推定手段５７より推定される。また推定された残寿命に基づき、蓄電池９２の次回の点検日が点検日決定手段５８により決定される。
【００９８】
なお平均温度算出手段４２による平均温度の算出は、平均温度取得手段６４による平均温度の取得の直前に行われるようにしてもよい。また抵抗値−残寿命関数は、初期抵抗値と寿命抵抗値と寿命目安抵抗値と温度−寿命関数とが揃えば作成することができるので、推定時抵抗値の入力や平均温度の算出の前に、残寿命関数作成手段５５により予め温度毎に作成されるようにしてもよい。
【００９９】
残寿命の推定及び点検日の決定が完了すると、これらの情報や蓄電池９２の内部抵抗値、平均温度、使用開始時点からの経過時間等の情報がデータ送信手段５９から送信され、入出力手段５１、６３を介してタッチパネル１２に表示される。また、これらの情報を記憶手段５２に保存し、入出力手段５１、通信装置１６、周辺機器を介して、管理者のパーソナルコンピュータ等へ情報を送信するように構成することもできる。
【０１００】
なおパーソナルコンピュータ６２へのデータの入力は、パーソナルコンピュータ６２を平均温度算出装置６１に接続した状態で入出力手段５１、６３を介してタッチパネル１２から行うようにしてもよい。
【０１０１】
以上のように、本実施形態の蓄電池残寿命推定システム３によれば、平均温度算出装置６１と残寿命推定装置として機能するパーソナルコンピュータ６２とが分離されているので、蓄電池盤９１には、平均温度算出装置６１のみを設置すればよく、第２実施形態の蓄電池残寿命推定装置２に比べ、低コスト化及び省スペース化を実現することができる。
【０１０２】
なおパーソナルコンピュータ６２に代えて、蓄電池９２の内部抵抗値を測定する測定器（図示省略）に残寿命推定装置としての機能を付加し、平均温度算出装置６１と測定器とで本発明の蓄電池残寿命推定システムを構成することもできる。
【０１０３】
以上、第１から第３実施形態の蓄電池残寿命推定方法、蓄電池残寿命推定装置２、及び蓄電池残寿命推定システム３を用いて、本発明の蓄電池残寿命推定方法、蓄電池点検日決定方法、蓄電池残寿命推定装置、及び蓄電池残寿命推定システムを説明したが、本発明の蓄電池残寿命推定方法、蓄電池点検日決定方法、蓄電池残寿命推定装置、及び蓄電池残寿命推定システムは、上記実施形態に限定されるものではなく要旨を変更しない範囲で変形することができる。
【０１０４】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【０１０５】
２  蓄電池残寿命推定装置
３  蓄電池残寿命推定システム
１１  温度センサ
４１  温度取得手段
４２  平均温度算出手段
５５  残寿命関数作成手段
５６  予測値算出手段
５７  残寿命推定手段
６１  平均温度算出手段
６２  残寿命推定装置
６４  平均温度取得手段
【図１】
0006593769.tif 000002
【図２】
0006593769.tif 000003
【図３】
0006593769.tif 000004
【図４】
0006593769.tif 000005